(57)【要約】【課題】緩衝部材や、この緩衝部材の移動を防止するための段ボール板を不要とし、緩衝部を一体に備え被梱包物の下端は勿論のこと、上端も保護できるようにした梱包用トレイを提供する。【解決手段】角部が切除された形の平面形状がほぼ八角形に近い形の被梱包物を受ける梱包用トレイであって、段ボール板からなり、平面形状が方形の板部１と、この板部１の１組の対向側辺に連設された４重壁構造の側壁部３，３と、前記板部１の他の１組の対向側辺に連設された４重壁構造の側壁部４，４とから構成され、前記板部１のコーナー隅部には隣り合う側壁部３，４間で斜めに罫線１９が形成されている。【選択図】図１
2008213871.tif 000002
【特許請求の範囲】
【請求項１】
角部が切除された形の平面形状がほぼ八角形に近い形の被梱包物を受ける梱包用トレイであって、段ボール板からなり、平面形状が方形の板部と、この板部の１組の対向側辺に連設された側壁部と、前記板部の他の１組の対向側辺に連設された側壁部とから構成され、前記１組の対向側辺側の各側壁部は前記板部に繋がる外側側壁板部と、この外側側壁板部に繋がる内側側壁板部と、これら外側側壁板部および内側側壁板部の両方に跨り外側側壁板部および内側側壁板部の両端近傍間に外側側壁板部および内側側壁板部の材料を利用して形成された補強用板部とからなり、外側側壁板部の内側に内側側壁板部を折り重ねた状態で内側側壁板部に形成された補強用板部を外側側壁板部に形成された補強用板部の内側に折り重ね、この重ね合わされた２枚の補強用板部を内側側壁板部の内面に折り重ね、補強用板部の下端の爪片を前記板部の１組の対向側辺に沿って形成された係止孔に係止させ得るように構成され、前記外側側壁板部および内側側壁板部の両端には外側側壁板部の内側に内側側壁板部を折り重ねた状態で互いに重なる折り曲げ片が連設されており、前記他の１組の対向側辺側の側壁部は前記板部に繋がる外側側壁板部と、この外側側壁板部に繋がる内側側壁板部とからなり、外側側壁板部と内側側壁板部との間で前記互いに重なる折り曲げ片を挟むように外側側壁板部の内側に内側側壁板部を折り重ね、内側側壁板部の下端の爪片を前記板部の他の１組の対向側辺に沿って形成された係止孔に係止させ得るように構成され、前記板部のコーナー隅部には隣り合う側壁部間で斜めに罫線が形成されていることを特徴とする梱包用トレイ。
【発明の詳細な説明】
【技術分野】
【０００１】
本発明は、例えば天井埋め込み型のエアコン室内機などの大型の被梱包物を梱包するために使用される梱包用トレイに関するものである。
【背景技術】
【０００２】
従来から天井埋め込み型のエアコン室内機などの大型の被梱包物を梱包するために特許文献１に開示されているようなトレイ状の下部包装部および上部包装部と、下部包装部の４辺に沿う内側隅部に配設される紙管で作られた緩衝部材と、この緩衝部材の移動を防止するための段ボール板とからなる包装装置が知られている。
【特許文献１】特開平１１−７９１６２号公報
【発明の開示】
【発明が解決しようとする課題】
【０００３】
上記特許文献１に記載の包装装置は被梱包物の下端を保護するためにトレイ状の下部包装部とは別に紙管で作られた緩衝部材と、この緩衝部材の移動を防止するための段ボール板を用いており、その分部品点数が多くなり、コストアップなどに繋がるという問題があった。
【０００４】
また、被梱包物の上端を保護するために上部包装部に上記と同様の緩衝部材と、この緩衝部材の移動を防止するための段ボール板をセットしようとしても緩衝部材を上部包装部に接着剤などで固定しない限り不可能であるという問題があった。
【０００５】
本発明の目的は、このような課題を解決するものであり、従来使用されていた緩衝部材や、この緩衝部材の移動を防止するための段ボール板を不要とし、緩衝部を一体に備え被梱包物の下端は勿論のこと、上端も保護できるようにした梱包用トレイを提供することにある。
【課題を解決するための手段】
【０００６】
本発明の請求項１に記載の梱包用トレイは、角部が切除された形の平面形状がほぼ八角形に近い形の被梱包物を受ける梱包用トレイであって、段ボール板からなり、平面形状が方形の板部と、この板部の１組の対向側辺に連設された側壁部と、前記板部の他の１組の対向側辺に連設された側壁部とから構成され、前記１組の対向側辺側の各側壁部は前記板部に繋がる外側側壁板部と、この外側側壁板部に繋がる内側側壁板部と、これら外側側壁板部および内側側壁板部の両方に跨り外側側壁板部および内側側壁板部の両端近傍間に外側側壁板部および内側側壁板部の材料を利用して形成された補強用板部とからなり、外側側壁板部の内側に内側側壁板部を折り重ねた状態で内側側壁板部に形成された補強用板部を外側側壁板部に形成された補強用板部の内側に折り重ね、この重ね合わされた２枚の補強用板部を内側側壁板部の内面に折り重ね、補強用板部の下端の爪片を前記板部の１組の対向側辺に沿って形成された係止孔に係止させ得るように構成され、前記外側側壁板部および内側側壁板部の両端には外側側壁板部の内側に内側側壁板部を折り重ねた状態で互いに重なる折り曲げ片が連設されており、前記他の１組の対向側辺側の側壁部は前記板部に繋がる外側側壁板部と、この外側側壁板部に繋がる内側側壁板部とからなり、外側側壁板部と内側側壁板部との間で前記互いに重なる折り曲げ片を挟むように外側側壁板部の内側に内側側壁板部を折り重ね、内側側壁板部の下端の爪片を前記板部の他の１組の対向側辺に沿って形成された係止孔に係止させ得るように構成され、前記板部のコーナー隅部には隣り合う側壁部間で斜めに罫線が形成されていることを特徴とする。
【発明の効果】
【０００７】
以上のように、本発明の梱包用トレイは、搬送中などにおいて梱包用トレイの外側から衝撃が加わった場合、前記１組の対向側辺側の各側壁部は外側側壁板部と、内側側壁板部と、これら外側側壁板部および内側側壁板部の両方に跨り外側側壁板部および内側側壁板部の材料を利用して形成された補強用板部とにより４重壁構造となり、前記他の１組の対向側辺側の各側壁部は間に２枚重ねの折り曲げ片を挟んだ状態の４重壁構造となっているため、側壁部の外部からの側面への衝撃は側壁部で吸収されて被梱包物に伝達されにくく、また角部からの衝撃に対しては梱包用トレイの角部と被梱包物の角部との間に三角形状の空間部が形成されていることと板部のコーナー隅部には隣り合う側壁部間で斜めに罫線が形成されていることにより、梱包用トレイの角部に対し外部から衝撃が加わると梱包用トレイの角部が押し潰されるが被梱包物の角部には衝撃が伝達されにくく、被梱包物の損傷を抑え、保護することができる。このように本発明は、従来使用されていた緩衝部材や、この緩衝部材の移動を防止するための段ボール板が不要となり、４重壁構造の側壁部や角部における三角形状の空間部および板部のコーナー隅部において隣り合う側壁部間で斜めの罫線を備え、被梱包物の下端は勿論のこと、上端も被せることにより保護できるようにした梱包用トレイを提供することができる。
【発明を実施するための最良の形態】
【０００８】
以下、本発明の実施の形態を、図面に基づき具体的に説明する。
先ず、図１〜図６に示す第１の実施の形態について説明すると、１は段ボール板からなる梱包用トレイで、この梱包用トレイ１は平面形状が正方形の板部２と、この板部２の１組の対向側辺に連設された側壁部３，３と、前記板部２の他の１組の対向側辺に連設された側壁部４，４とから構成されている。詳しくは、前記１組の対向側辺側の各側壁部３は前記板部２に繋がる外側側壁板部５と、この外側側壁板部５に繋がる内側側壁板部６と、これら外側側壁板部５および内側側壁板部６の両方に跨り外側側壁板部５および内側側壁板部６の両端近傍間に亘って外側側壁板部５および内側側壁板部６の材料を利用して形成された補強用板部７，８とからなり、外側側壁板部５の内側に内側側壁板部６を折り重ねた状態で内側側壁板部６に形成された補強用板部８を外側側壁板部５に形成された補強用板部７の内側に折り重ね、この重ね合わされた２枚の補強用板部７，８を内側側壁板部６の内面に折り重ね、補強用板部７の下端の爪片９を前記板部２の１組の対向側辺に沿って形成された係止孔１０に係止させ得るように構成されている。前記外側側壁板部５および内側側壁板部６の両端には外側側壁板部５の内側に内側側壁板部６を折り重ねた状態で互いに重なる折り曲げ片１１，１１および１２，１２が連設されている。前記他の１組の対向側辺側の側壁部４，４は前記板部２に繋がる外側側壁板部１３と、この外側側壁板部１３に繋がる内側側壁板部１４とからなり、外側側壁板部１３と内側側壁板部１４との間で前記互いに重なる折り曲げ片１１，１１および１２，１２を挟むように外側側壁板部１３の内側に内側側壁板部１４を折り重ね、内側側壁板部１４の下端の爪片１５を前記板部２の他の１組の対向側辺に沿って形成された係止孔１６に係止させ得るように構成されている。なお、内側側壁板部１４の両端における下端部には小さな突出片１７が形成されており、外側側壁板部１３の内側に内側側壁板部１４を折り重ねたとき、この突出片１７が前記内側側壁板部６と折り曲げ片１２との繋がり部に形成された切り込み部１８に係止させ得るように構成されている。
【０００９】
さらに、前記板部２のコーナー隅部には隣り合う側壁部３，４間で斜めに罫線１９が形成されている。
上記構成の梱包用トレイ１の板部２上には図５に示すように天井埋め込み型のエアコン室内機などの角部が切除された形の平面形状がほぼ八角形に近い形の大型の被梱包物２０が載置され、その後被梱包物２０の上に梱包用トレイ１を上下逆さにした状態で被せ、梱包用バンド２１で締結して図６に示すように梱包が完了する。なお、板部２の上に被梱包物２０が載置された状態において前記罫線１９は被梱包物２０の角部が切除されたテーパー部分より僅かに外側に位置するように構成されている。
【００１０】
かかる図６に示す梱包状態で、搬送中などにおいて梱包用トレイ１の外側から衝撃が加わった場合、前記１組の対向側辺側の各側壁部３は外側側壁板部５と、内側側壁板部６と、これら外側側壁板部５および内側側壁板部６の両方に跨り外側側壁板部５および内側側壁板部６の材料を利用して形成された補強用板部７，８とにより４重壁構造となり、前記他の１組の対向側辺側の各側壁部４は間に２枚重ねの折り曲げ片１１，１１および１２，１２を挟んだ状態の４重壁構造となっているため、側壁部３や側壁部４の外部からの側面への衝撃は側壁部３や側壁部４で吸収されて被梱包物２０に伝達されにくく、また角部からの衝撃に対しては梱包用トレイ１の角部と被梱包物２０の角部との間に三角形状の空間部が形成されていることと板部２のコーナー隅部には隣り合う側壁部３，４間で斜めに罫線１９が形成されていることにより、梱包用トレイ１の角部に対し外部から衝撃が加わると梱包用トレイ１の角部が押し潰されるが被梱包物２０の角部には衝撃が伝達されにくく、被梱包物２０の損傷を抑え、保護することができる。
【００１１】
次に、図７〜図１０に示す第２の実施の形態について説明すると、前記第１の実施の形態における補強用板部７，８は外側側壁板部５および内側側壁板部６の両端近傍間に亘って連続状態で形成されているが、第２の実施の形態における補強用板部７，８は外側側壁板部５および内側側壁板部６の両端近傍間で中間部が分断された状態で形成されている。そして、この実施の形態によれば補強用板部７，８は左右に２つ並んだ状態となり、２つ並んだ補強用板部７，８をそれぞれ重ね合わして内側側壁板部６の内面に折り重ね、各補強用板部７の下端の爪片９を前記板部２の１組の対向側辺に沿って形成された係止孔１０に係止させ得るように構成されている。また、この第２の実施の形態によれば、内側側壁板部６の下端にも前記係止孔１０に係止する爪片２２が形成されている。さらに、側壁部３の両端および中央で高さの高い部分が存在している。なお、この第２の実施の形態では前記第１の実施の形態のような内側側壁板部１４の両端における下端部の小さな突出片１７や内側側壁板部６と折り曲げ片１２との繋がり部における切り込み部１８は形成されていない。他の構成は前記第１の実施の形態と同様である。
【００１２】
ところで、図面に示す実施の形態では梱包用トレイ１は平面形状が正方形の板部２を用いて平面形状が正方形に作られているが、長方形であっても良い。
【図面の簡単な説明】
【００１３】
【図１】本発明の第１の実施の形態における梱包用トレイの展開図である。
【図２】同梱包用トレイの組み立て途中の状態を示す斜視図である。
【図３】同梱包用トレイの組み立て完成直前の状態を示す斜視図である。
【図４】同梱包用トレイの組み立て完成状態を示す斜視図である。
【図５】同梱包用トレイに被梱包物を載せた状態を示す斜視図である。
【図６】同梱包用トレイで被梱包物を梱包した状態を示す斜視図である。
【図７】本発明の第２の実施の形態における梱包用トレイの展開図である。
【図８】同梱包用トレイの組み立て途中の状態を示す斜視図である。
【図９】同梱包用トレイの組み立て完成直前の状態を示す斜視図である。
【図１０】同梱包用トレイの組み立て完成状態を示す斜視図である。
【符号の説明】
【００１４】
１          梱包用トレイ
２          板部
３，４      側壁部
５          外側側壁板部
６          内側側壁板部
７，８      補強用板部
９          爪片
１０          係止孔
１１，１２    折り曲げ片
１３          外側側壁板部
１４          内側側壁板部
１５          爪片
１６          係止孔
１７          突出片
１８          切り込み部
１９          罫線
２０          被梱包物
２１          梱包用バンド
２２          爪片
【図１】
2008213871.tif 000003
【図２】
2008213871.tif 000004
【図３】
2008213871.tif 000005
【図４】
2008213871.tif 000006
【図５】
2008213871.tif 000007
【図６】
2008213871.tif 000008
【図７】
2008213871.tif 000009
【図８】
2008213871.tif 000010
【図９】
2008213871.tif 000011
【図１０】
2008213871.tif 000012